(57)【要約】【課題】脱臭機能を維持したままでコンパクト化することができる脱臭装置を提供すること。【解決手段】脱臭装置として機能する局部洗浄装置３は、便器本体２が有する便鉢４の後部に設けられ、便鉢４に臨む開口部９を有するベース８と、風が吹き出される吹出口２８を便鉢４の左右方向の中心よりも一方側に偏心した位置に有し、吹出口２８が開口部９からベース８の外側に臨む送風ダクト２４と、開口部９に沿った軸回りに上下に回動することで開口部９を開閉するシャッター１０と、を備え、シャッター１０は、開口部９を閉じた状態において吹出口２８に面する位置に、下方から便鉢４の左右の中心の方向に向けて斜め上方に延び、開口部９を開いた状態において風を導くリブ１０ａを有する。【選択図】図５Ｂ
2018087454.tif 000002
【特許請求の範囲】
【請求項１】
便器本体が有する便鉢の後部に設けられ、前記便鉢に臨む開口部を有するベースと、
風が吹き出される吹出口を前記便鉢の左右方向の中心よりも一方側に偏心した位置に有し、前記吹出口が前記開口部から前記ベースの外側に臨む送風ダクトと、
前記開口部に沿った軸回りに上下に回動することで前記開口部を開閉し、上方に回動して下側から前記開口部を開くことで下開き状態になる一方で、下方に回動して上側から前記開口部を開くことで上開き状態になるシャッターと、を備え、
前記シャッターは、前記開口部を閉じた状態において前記吹出口に面する位置に、下方から前記便鉢の左右の中心の方向に向けて斜め上方に延び、前記開口部を開いた状態において前記風を導くリブを有する脱臭装置。
【請求項２】
前記シャッターは、複数の前記リブを有し、
複数の前記リブは、前記シャッターが前記開口部を閉じた状態において、下方から斜め上方に向けて互いの間隔が徐々に狭くなる請求項１に記載の脱臭装置。
【請求項３】
前記吹出口に沿った軸回りに回動することで前記吹出口を開閉する吹出口シャッターを備え、
前記吹出口シャッターは、その内面に、前記吹出口を開いた状態において前記風を導く吹出リブを有する請求項１又は２に記載の脱臭装置。
【請求項４】
前記送風ダクトは、その内面に形成され前記風を導く送風リブを有し、
前記送風リブは、前記吹出口シャッターが開いた状態において前記吹出リブと連続する位置に配置される請求項３に記載の脱臭装置。
【発明の詳細な説明】
【技術分野】
【０００１】
本発明は、大便器用の脱臭装置に関する。
【背景技術】
【０００２】
従来、大便器用の脱臭装置では、上下に回動するシャッターの内側に、風を吹き出す吹出口が設けられている（例えば、特許文献１参照）。このような脱臭装置では、脱臭時に、シャッターを上方に回動させて下側から開く下開き状態にし、吹出口から吹き出される風を便鉢の内面に導く一方で、肛門の乾燥時に、シャッターを下方に回動させて上側から開く上開き状態にし、吹出口から吹き出される風を肛門に導く。
【先行技術文献】
【特許文献】
【０００３】
【特許文献１】特開２０１５−２０６１８４号公報
【発明の概要】
【発明が解決しようとする課題】
【０００４】
しかしながら、近年では、大便器に設けられる洗浄装置の高機能化に伴って、設置スペースの確保の観点から、脱臭機能を維持したままで脱臭装置のコンパクト化が求められている。
【０００５】
本発明は上記に鑑みてなされたものであり、その目的は、脱臭機能を維持したままでコンパクト化することができる脱臭装置を提供することにある。
【課題を解決するための手段】
【０００６】
上記目的を達成するため本発明は、便器本体（例えば、後述する便器本体２）が有する便鉢（例えば、後述する便鉢４）の後部に設けられ、前記便鉢に臨む開口部（例えば、後述する開口部９）を有するベース（例えば、後述するベース８）と、風が吹き出される吹出口（例えば、後述する吹出口２８）を前記便鉢の左右方向の中心よりも一方側に偏心した位置に有し、前記吹出口が前記開口部から前記ベースの外側に臨む送風ダクト（例えば、後述する送風ダクト２４）と、前記開口部に沿った軸回りに上下に回動することで前記開口部を開閉し、上方に回動して下側から前記開口部を開くことで下開き状態になる一方で、下方に回動して上側から前記開口部を開くことで上開き状態になるシャッター（例えば、後述するシャッター１０）と、を備え、前記シャッターは、前記開口部を閉じた状態において前記吹出口に面する位置に、下方から前記便鉢の左右の中心の方向に向けて斜め上方に延び、前記開口部を開いた状態において前記風を導くリブ（例えば、後述するリブ１０ａ）を有する脱臭装置（例えば、後述する局部洗浄装置３）を提供する。
【０００７】
前記シャッターは、複数の前記リブを有し、複数の前記リブは、前記シャッターが前記開口部を閉じた状態において、下方から斜め上方に向けて互いの間隔が徐々に狭くなることが好ましい。
【０００８】
前記吹出口に沿った軸回りに回動することで前記吹出口を開閉する吹出口シャッター（例えば、後述する吹出口シャッター３４）を備え、前記吹出口シャッターは、その内面に、前記吹出口を開いた状態において前記風を導く吹出リブ（例えば、後述する吹出リブ３５）を有することが好ましい。
【０００９】
前記送風ダクトは、その内面に形成され前記風を導く送風リブ（例えば、後述の送風リブ３６）を有し、前記送風リブは、前記吹出口シャッターが開いた状態において前記吹出リブと連続する位置に配置されることが好ましい。
【発明の効果】
【００１０】
本発明によれば、脱臭機能を維持したままでコンパクト化が可能な脱臭装置を提供できる。
【図面の簡単な説明】
【００１１】
【図１】本発明の一実施形態に係る局部洗浄装置を備える大便器をその前方斜め上方から視た斜視図である。
【図２】便座、便蓋、及び局部洗浄装置のカバーを取り外した状態の大便器の上面図である。
【図３Ａ】閉じた状態のシャッター及びその周辺部分を示す正面図である。
【図３Ｂ】図３Ａにおける矢印ＩＩＩＢ−ＩＩＩＢの方向に視たシャッター及びその周辺部分の断面図である。
【図４Ａ】下開き状態のシャッター及びその周辺部分の断面図である。
【図４Ｂ】上開き状態のシャッター及びその周辺部分の断面図である。
【図５Ａ】上開き状態のシャッター及びその周辺部分の底面図である。
【図５Ｂ】下開き状態のシャッター及びその周辺部分の平面図である。
【図６Ａ】シャッターを取り外し、吹出口シャッターを閉じた状態の開口部及びその周辺部分を示す正面図である。
【図６Ｂ】シャッターを取り外し、吹出口シャッターを開いた状態の開口部及びその周辺部分を示す正面図である。
【発明を実施するための形態】
【００１２】
以下、本発明の一実施形態について、図面を参照して詳細に説明する。
【００１３】
まず、図１及び図２を用いて、大便器１について説明する。図１は、本発明の一実施形態に係る局部洗浄装置３を備える大便器１をその前方斜め上方から視た斜視図である。図２は、便座５、便蓋６、及び局部洗浄装置３のカバー１１を取り外した状態の大便器１の上面図である。
【００１４】
図１及び図２に示す大便器１は、水洗式の大便器であり、便器本体２と、局部洗浄装置３と、等を備える。また、大便器１は、洗浄水を貯留するタンク１００と、洗浄水を供給するポンプ、弁及び配管と、等を備えるが、これらの説明については省略する。
【００１５】
便器本体２は、汚物を受ける便鉢４と、この便鉢４の底部から下方に延びる排水管（図示省略）と、便鉢４に対して開閉する便座５及び便蓋６と、を含んで構成される。便鉢４の上部には、その周縁に沿って洗浄水の旋回流を生成するリム流水路（図示省略）と、その旋回流を排水管に向けて落し込む流れを生成する落し込み流路（図示省略）と、が形成されている。
【００１６】
局部洗浄装置３は、便鉢４の後部に設けられる。この局部洗浄装置３は、局部洗浄や温風乾燥等のための各種機能部品を収容するケース７を備える。ケース７は、便鉢４の上端周縁に設置されるベース８と、このベース８の前面中央に形成された横長の開口部９を開閉するシャッター１０と、ベース８に組み付けられるカバー１１と、を有する。シャッター１０及びその周辺部分についての詳細は後述する。カバー１１には、便座５及び便蓋６がそれぞれ回動可能に取り付けられている。
【００１７】
このような局部洗浄装置３は、洗浄水を吐出するノズルユニット１２と、このノズルユニット１２に温水を供給する温水供給ユニット１３と、風を送り出す送風ユニット１４と、汚物から発生する臭気を除去する脱臭ユニット１５と、これら各ユニット１２〜１５の駆動を司る制御基板１６と、この制御基板１６及び各種機能部品に電力を供給する電源基板１７と、等を備える。この局部洗浄装置３は、脱臭ユニット１５を中心に、脱臭装置として機能する。
【００１８】
ノズルユニット１２は、ベース８の中央に配置されている。このノズルユニット１２は、肛門洗浄用の洗浄ノズル１８と、この洗浄ノズル１８を駆動させるノズル駆動機構１９と、洗浄ノズル１８と共に左右に並んでツインノズルを構成するビデ用の洗浄ノズル２０と、この洗浄ノズル２０を駆動させるノズル駆動機構２１と、を有する。
【００１９】
左右一対の洗浄ノズル１８，２０は、互いに平行で前方に向かって下方に傾斜するように、ベース８に対して進退可能に支持される。これら洗浄ノズル１８，２０は、不使用時に、開口部９を閉じた状態のシャッター１０の内側に収容されている。
【００２０】
肛門洗浄用の洗浄ノズル１８は、ノズル駆動機構１９によって斜め下方に進出することで、その先端が、シャッター１０の内面の突起（図示省略）を介してシャッター１０の内面下側を押すことになり、開口部９を閉じる方向に付勢されているシャッター１０を、上方に回動させながら開いて開口部９の前方に突出する。この時、洗浄ノズル１８に押し開かれたシャッター１０は、開口部９を閉じる方向の付勢力に抗して、開口部９の下側から開く下開き状態になる（図４Ａ及び図５Ａ参照）。
【００２１】
ビデ用の洗浄ノズル２０は、ノズル駆動機構２１によって斜め下方に進出することで、その先端が、シャッター１０の内面の突起（図示省略）を介してシャッター１０の内面上側を押すことになり、開口部９を閉じる方向に付勢されているシャッター１０を、下方に回動させながら開いて開口部９の前方に突出する。この時、洗浄ノズル２０に押し開かれたシャッター１０は、開口部９を閉じる方向の付勢力に抗して、開口部９の上側から開く上開き状態になる（図４Ｂ及び図５Ｂ参照）。
【００２２】
これら洗浄ノズル１８，２０は、それぞれ、下方に位置する先端部に、温水供給ユニット１３によって供給された洗浄水を吐出する吐出孔２２，２３を有する。
【００２３】
温水供給ユニット１３は、ベース８の右側に配置されている。この温水供給ユニット１３は、個別の配管を介して各洗浄ノズル１８，２０に接続されており、設定温度に調温された温水を、洗浄水として各洗浄ノズル１８，２０へ供給する。
【００２４】
送風ユニット１４は、ベース８の右側に配置されている。この送風ユニット１４は、外気を開口部９に導く送風ダクト２４と、この送風ダクト２４内に設けられた第１送風機２５と、送風ダクト２４内における第１送風機２５の下流側に設けられたヒーター２６及びイオン発生装置２７と、を備える。
【００２５】
送風ダクト２４は、外気の取込口（図示省略）を上流端に有すると共に、開口部９からケース７の外側に臨む吹出口２８を下流端に有する。この送風ダクト２４は、第１送風機２５の駆動によって、取込口から外気を取り込んで吹出口２８から便鉢４の左右の中心の方向に向けて風を吹き出す。第１送風機２５は、送風ダクト２４内に、取込口から吹出口２８への気流を発生させる。ヒーター２６は、送風ダクト２４に取り込まれた空気を温める。イオン発生装置２７は、送風ダクト２４に取り込まれた空気を電離させてプラスイオンとマイナスイオンを生じさせる。
【００２６】
ここで、送風ダクト２４は、その内面に形成されて風を導く送風リブ３６を有する。この送風リブ３６は、後述する吹出口シャッター３４が開いた状態において吹出リブ３５と連続する位置に配置されている。これにより、風がよりスムーズに吹き出されるようになっている。
【００２７】
このような送風ユニット１４は、第１送風機２５と共にヒーター２６を駆動させることで、吹出口２８から温風を吹き出す。また、送風ユニット１４は、第１送風機２５と共にイオン発生装置２７を駆動させることで、吹出口２８からプラスイオンとマイナスイオンを含む風を吹き出し、これらのイオンによって浮遊菌を不活化する。これにより、浮遊菌の繁殖を抑制し又は除菌する。
【００２８】
脱臭ユニット１５は、ベース８の左側に配置されている。この脱臭ユニット１５は、便鉢４内の空気を便鉢４の外部に導く脱臭ダクト２９と、この脱臭ダクト２９内に設けられた第２送風機３０と、脱臭ダクト２９内における第２送風機３０の下流側に設けられた脱臭カートリッジ３１と、を備える。
【００２９】
脱臭ダクト２９は、ベース８の前方中央寄りに形成された吸込口３２を上流端に有すると共に、ベース８の左側に形成された吹出口３３を下流端に有する。その脱臭ダクト２９は、第２送風機３０の駆動によって、吸込口３２から便鉢４内の空気を吸い込んで吹出口３３から風を吹き出す。即ち、本実施形態の脱臭ユニット１５は、非循環式（ワンパス式）の脱臭装置である。第２送風機３０は、脱臭ダクト２９内に、吸込口３２から吹出口３３への気流を発生させる。脱臭カートリッジ３１は、脱臭用の触媒を内蔵しており、脱臭ダクト２９に吸い込まれた空気を通過させることで、通過する空気に含まれる臭気を取り除く。
【００３０】
なお、吸込口３２は、ベース８の底面に形成され、下方に向かって開口し、便鉢４内に臨んでいる。即ち、シャッター１０の内部に吸込口が無く、ベース８の底面に吸込口が形成されているため、シャッター１０を閉じた状態であっても、便鉢４内の空気（臭気）を吸込むことができるようになっている。
【００３１】
なお、本実施形態では、脱臭カートリッジ３１として、活性炭等を触媒とする吸着型の脱臭剤を採用するが、光触媒のように紫外線等の光線を照射することによって物質を分解する機能を有する分解型のものを採用してもよい。
【００３２】
次に、図３Ａ〜図６Ｂを用いて、シャッター１０及びその周辺部分について説明する。図３Ａは、閉じた状態のシャッター１０及びその周辺部分を示す正面図である。図３Ｂは、図３Ａにおける矢印ＩＩＩＢ−ＩＩＩＢの方向に視たシャッター１０及びその周辺部分の断面図である。図４Ａは、下開き状態のシャッター１０及びその周辺部分の断面図である。図４Ｂは、上開き状態のシャッター１０及びその周辺部分の断面図である。図５Ａは、上開き状態のシャッター１０及びその周辺部分の底面図である。図５Ｂは、下開き状態のシャッター１０及びその周辺部分の平面図である。図６Ａは、シャッター１０を取り外し、吹出口シャッター３４を閉じた状態の開口部９及びその周辺部分を示す正面図である。図６Ｂは、シャッター１０を取り外し、吹出口シャッター３４を開いた状態の開口部９及びその周辺部分を示す正面図である。
【００３３】
上記の各図に示すように、シャッター１０は、開口部９に沿った軸回りに上下に回動することで開口部９を開閉する。このシャッター１０は、上方に回動して下側から開口部９を開くことで下開き状態になる一方で、下方に回動して上側から開口部９を開くことで上開き状態になる。
【００３４】
このようなシャッター１０は、その内面に、開口部９を開いた状態において吹出口２８から吹き出される風を導く複数のリブ１０ａを有する。複数のリブ１０ａは、シャッター１０が開口部９を閉じた状態において、吹出口２８に面する位置に、下方から便鉢４の左右の中心の方向に向けて斜め上方に延びるように、シャッター１０と一体に構成されている。これら複数のリブ１０ａは、シャッター１０が開口部９を閉じた状態において、下方から斜め上方に向けて互いの間隔が徐々に狭くなるように配置されている。なお、本実施形態では、一例として各図において３本のリブを有するシャッター１０を示している。
【００３５】
このようなシャッター１０及び複数のリブ１０ａは、シャッター１０が下開きの状態において、吹出口２８から便鉢４の左右の中心の方向に向けて吹き出される風を便鉢４の左右の外側にも導き、便鉢４の広い範囲に分散させる（図４Ａ及び図５Ｂ参照）。即ち、吹出口２８から吹き出された風の一部は、図２中に矢印で示すように、便鉢４の内面に沿うように旋回して流れ、便鉢４内の臭気が便鉢４の外に拡散するのを抑制可能な気流を構成する。
また、シャッター１０及び複数のリブ１０ａは、シャッター１０が上開きの状態において、吹出口２８から便鉢４の左右の中心の方向に向けて吹き出される風を肛門に導く（図４Ｂ及び図５Ａ参照）。
【００３６】
図６Ａ及び図６Ｂに示すように、局部洗浄装置３は、シャッター１０の内側において送風ダクト２４の吹出口２８を開閉する吹出口シャッター３４と、この吹出口シャッター３４の内面に設けられた吹出リブ３５と、を備える。
【００３７】
吹出口シャッター３４は、その上端が、吹出口２８の縁に回動可能に支持されており、吹出口２８から吹き出す風によって吹出口２８を開く一方で、自重によって吹出口２８を閉じる。この吹出口シャッター３４は、シャッター１０が閉じた状態において送風口３８から風を吹き出す際には、吹出口２８を開く。
【００３８】
吹出リブ３５は、上方から便鉢４の左右の中心の方向に向けて斜め下方に延びるように、吹出口シャッター３４と一体に構成されている。この吹出リブ３５は、吹出口シャッター３４が吹出口２８を開いた状態において、吹出口２８から吹き出される風を左右の中心の方向に導く。
【００３９】
次に、局部洗浄装置３の動作モードについて説明する。
【００４０】
局部洗浄装置３は、脱臭モード、お尻洗浄モード、ビデモード、温風乾燥モード、鉢内除菌モード等の各種動作モードで動作する。
【００４１】
脱臭モードは、便鉢４内を脱臭する動作モードである。脱臭モードにおいて局部洗浄装置３は、肛門洗浄用の洗浄ノズル１８を斜め下方に進出させることで、シャッター１０を上方に回動させて下開き状態にする。その後、局部洗浄装置３は、送風ユニット１４の第１送風機２５を駆動させて、吹出口２８から吹き出される風を便鉢４の内面に広がる方向に導くと共に（図２中の矢印参照）、脱臭ユニット１５の第２送風機３０を駆動させて、吸込口３２から便鉢４内の空気を吸い込み脱臭カートリッジ３１で臭気を取り除く。なお、脱臭モードにおいて局部洗浄装置３は、送風ユニット１４のヒーター２６及びイオン発生装置２７を駆動させない。
【００４２】
なお、この脱臭モードでは、第１送風機２５の出力よりも第２送風機３０の出力を大きくなるように制御する。従来、送風機が１つの循環式においては送風機の出力を大きくして便鉢内の気流を強くする必要があったところ、本実施形態のようなワンパス式であれば、第１送風機２５の出力が小さい、即ち便鉢４内に流れる風を強くしなくても、第２送風機３０の出力を大きくすることで効率良く便鉢４内の臭気が吸い込まれる。これにより、使用者が便鉢４内の風を認識し難くなる一方で、高い脱臭性能が確保されている。
【００４３】
お尻洗浄モードは、肛門を洗浄する動作モードである。お尻洗浄モードにおいて局部洗浄装置３は、肛門洗浄用の洗浄ノズル１８を斜め下方に進出させることで、シャッター１０を上方に回動させて下開き状態にする。その後、局部洗浄装置３は、温水供給ユニット１３を駆動させて、洗浄ノズル１８の吐出孔２２から肛門に向けて洗浄水を吐出させると共に、脱臭ユニット１５の第２送風機３０を駆動させて、吸込口３２から便鉢４内の空気を吸い込み脱臭カートリッジ３１で臭気を取り除く。なお、お尻洗浄モードにおいて局部洗浄装置３は、送風ユニット１４を駆動させない。
【００４４】
ビデモードは、女性の局部を洗浄する動作モードである。ビデモードにおいて局部洗浄装置３は、肛門洗浄用の洗浄ノズル１８を斜め下方にわずかに進出させることで、シャッター１０を上方にわずかに回動させてから、ビデ用の洗浄ノズル２０を斜め下方に進出させることで、引き続きシャッター１０を上方に回動させて下開き状態にする。その後、局部洗浄装置３は、温水供給ユニット１３を駆動させて、洗浄ノズル２０の吐出孔２３から女性の局部に向けて洗浄水を吐出させると共に、脱臭ユニット１５の第２送風機３０を駆動させて、吸込口３２から便鉢４内の空気を吸い込み脱臭カートリッジ３１で臭気を取り除く。なお、ビデモードにおいて局部洗浄装置３は、送風ユニット１４を駆動させない。
【００４５】
温風乾燥モードは、臀部を温風で乾燥させる動作モードである。温風乾燥モードにおいて局部洗浄装置３は、ビデ用の洗浄ノズル２０を斜め下方に進出させることで、シャッター１０を下方に回動させて上開き状態にする。その後、局部洗浄装置３は、送風ユニット１４の第１送風機２５及びヒーター２６を駆動させて、吹出口２８から吹き出される温風を臀部に向かう方向に導く。なお、温風乾燥モードにおいて局部洗浄装置３は、送風ユニット１４のイオン発生装置２７、及び脱臭ユニット１５を駆動させない。
【００４６】
鉢内除菌モードは、便鉢４内を除菌する動作モードである。鉢内除菌モードにおいて局部洗浄装置３は、肛門洗浄用の洗浄ノズル１８を斜め下方に進出させることで、シャッター１０を上方に回動させて下開き状態にする。その後、局部洗浄装置３は、送風ユニット１４の第１送風機２５及びイオン発生装置２７を駆動させて、吹出口２８から吹き出されるプラスイオンとマイナスイオンを含む風を便鉢４の内面に広がる方向に導く。なお、鉢内除菌モードにおいて局部洗浄装置３は、送風ユニット１４のヒーター２６、及び脱臭ユニット１５を駆動させない。
【００４７】
本実施形態によれば、以下の効果が奏される。
本実施形態に係る局部洗浄装置３は、便器本体２が有する便鉢４の後部に設けられ、便鉢４に臨む開口部９を有するベース８と、風が吹き出される吹出口２８を便鉢４の左右の中心よりも一方側に偏心した位置に有し、吹出口２８が開口部９からベース８の外側に臨む送風ダクト２４と、開口部９に沿った軸回りに上下に回動することで開口部９を開閉し、上下に回動して下側から開口部９を開くことで下開き状態になる一方で、下方に回動して上側から開口部９を開くことで上開き状態になるシャッター１０と、を備え、シャッター１０は、開口部９を閉じた状態において吹出口２８に面する位置に、下方から便鉢４の左右の中心の方向に向けて斜め上方に延び、開口部９を開いた状態において風を導くリブ１０ａを有する。
これにより、シャッター１０を上方に回動させて下開き状態にすることで、シャッター１０の内面に有するリブ１０ａを便鉢４の左右の中心から外側に向けて延ばすことができる一方で、シャッター１０を下方に回動させて上開き状態にすることで、シャッター１０の内面に有するリブ１０ａを便鉢４の左右の外側から中心に向けて延ばすことができる。このため、シャッター１０の内面にリブ１０ａを有するだけで、シャッター１０を下開き状態にすることで脱臭時に風を便鉢４の内面に導くことができる一方で、シャッター１０を上開き状態にすることで臀部の乾燥時に風を肛門に導くことができる。これにより、脱臭機能を維持したままで、部品の数を抑えることができ、ひいては局部洗浄装置３をコンパクト化することができる。
【００４８】
また、本実施形態に係る局部洗浄装置３は、シャッター１０が複数のリブ１０ａを有し、複数のリブ１０ａが下方から斜め上方に向けて互いの間隔を徐々に狭くしているので、シャッター１０を下開き状態にすることで、リブ１０ａによる流路を徐々に広げることができる一方で、シャッター１０を上開き状態にすることで、リブ１０ａによる流路を徐々に狭くすることができる。このため、シャッター１０を下開き状態にすることで、脱臭時に風を便鉢４の内面の広範囲に導くことができる一方で、シャッター１０を上開き状態にすることで、臀部の乾燥時に風を肛門にピンポイントに導くことができる。
【００４９】
また、本実施形態に係る局部洗浄装置３は、吹出口２８に沿った軸回りに回動することで吹出口２８を開閉する吹出口シャッター３４の内面に、吹出口２８を開いた状態において風を導く吹出リブ３５を有しているので、送風ダクト２４内に風を導くリブを有している場合と比較して、送風ダクト２４内に熱がこもることを防止できる。
【００５０】
また、本実施形態に係る局部洗浄装置３は、送風ダクトの内面に、風を導く送風リブ３６が形成され、この送風リブ３６は、吹出口シャッター３４が開いた状態において吹出リブ３５と連続する位置に配置される。これにより、風がよりスムーズに吹き出されるようになり、圧損を低減できる。
【００５１】
以上、本発明の局部洗浄装置３の好ましい実施形態について説明したが、本発明は、上述した実施形態に制限されるものではなく、適宜変更が可能である。
【符号の説明】
【００５２】
１  大便器
２  便器本体
３  局部洗浄装置（脱臭装置）
４  便鉢
５  便座
６  便蓋
７  ケース
８  ベース
９  開口部
１０  シャッター
１０ａ  リブ
１１  カバー
１２  ノズルユニット
１３  温水供給ユニット
１４  送風ユニット
１５  脱臭ユニット
１６  制御基板
１７  電源基板
１８，２０  洗浄ノズル
１９，２１  ノズル駆動機構
２２，２３  吐出孔
２４  送風ダクト
２５  第１送風機
２６  ヒーター
２７  イオン発生装置
２８  吹出口
２９  脱臭ダクト
３０  第２送風機
３１  脱臭カートリッジ（脱臭部）
３２  吸込口
３３  吹出口
３４  吹出口シャッター
３５  吹出リブ
３６  送風リブ
【図１】
2018087454.tif 000003
【図２】
2018087454.tif 000004
【図３Ａ】
2018087454.tif 000005
【図３Ｂ】
2018087454.tif 000006
【図４Ａ】
2018087454.tif 000007
【図４Ｂ】
2018087454.tif 000008
【図５Ａ】
2018087454.tif 000009
【図５Ｂ】
2018087454.tif 000010
【図６Ａ】
2018087454.tif 000011
【図６Ｂ】
2018087454.tif 000012